(57)【要約】【課題】ヘヤードライヤのようなヘヤケア電気器具のための付属品を提供する。【解決手段】開示するのは、手持ち式電気器具のための付属品であり、付属品は、電気器具への接続のための第１の端部、第２の端部、第１の端部から第２の端部に向けて延びて付属品を通る流体流路を形成する第１の壁、第１の壁の周りを第２の端部から第１の端部に向けて延びて第１の壁と第２の壁の間を延びる第２の流体流路を形成する第２の壁を有する。電気器具の第１の端部は、実質的に円形とすることができる。流体流路は、第１の端部に環状とすることができる流体入口を有することができる。流体入口は、第１の壁と第１の壁の周りにかつ少なくとも部分的にそれに沿って延びる内壁とによって形成することができる。内壁は、流体入口の周りで第１の壁から実質的に等距離とすることができる。同じく開示するのは、そのような付属品を含むヘヤケア電気器具である。【選択図】図２
2015024137.tif 000002
【特許請求の範囲】
【請求項１】
手持ち式電気器具のための付属品であって、
前記電気器具への接続のための第１の端部と、
第２の端部と、
前記第１の端部から前記第２の端部に向けて延びて付属品を通る流体流路を形成する第１の壁と、
前記第１の壁の周りに前記第２の端部から前記第１の端部に向けて延びて該第１の壁と第２の壁の間を延びる第２の流体流路を形成する第２の壁と、
を有し、
流体入口が、環状である、
ことを特徴とする付属品。
【請求項２】
前記電気器具の前記第１の端部は、実質的に円形であることを特徴とする請求項１に記載の付属品。
【請求項３】
前記流体流路は、前記第１の端部に流体入口を有することを特徴とする請求項１から請求項２のいずれか１項に記載の付属品。
【請求項４】
前記流体入口は、前記第１の壁と該第１の壁の周りにかつ少なくとも部分的にそれに沿って延びる内壁とによって形成されることを特徴とする請求項３に記載の付属品。
【請求項５】
手持ち式電気器具のための付属品であって、
前記電気器具への接続のための第１の端部と、
第２の端部と、
前記第１の端部から前記第２の端部に向けて延びて付属品を通る流体流路を形成する第１の壁と、
前記第１の壁の周りに前記第２の端部から前記第１の端部に向けて延びて該第１の壁と第２の壁の間を延びる第２の流体流路を形成する第２の壁と、
を有し、
流体入口が、前記第１の壁と該第１の壁の周りにかつ少なくとも部分的にそれに沿って延びる内壁とによって形成される、
ことを特徴とする付属品。
【請求項６】
前記内壁は、前記流体入口の周りで前記第１の壁から実質的に等距離であることを特徴とする請求項４又は請求項５に記載の付属品。
【請求項７】
前記流体流路は、前記第１の壁及び前記内壁によって形成されることを特徴とする請求項４から請求項６のいずれか１項に記載の付属品。
【請求項８】
前記内壁は、該内壁に沿って前記第１の壁から実質的に等距離であることを特徴とする請求項７に記載の付属品。
【請求項９】
前記内壁は、該内壁の周りで前記第１の壁から実質的に等距離であることを特徴とする請求項７又は請求項８に記載の付属品。
【請求項１０】
付属品の前記第２の端部は、非円形であることを特徴とする請求項１から請求項９のいずれか１項に記載の付属品。
【請求項１１】
付属品の前記第２の端部は、付属品の前記第１の端部よりも大きい寸法を有することを特徴とする請求項１０に記載の付属品。
【請求項１２】
付属品の前記第２の端部は、楕円を表すことを特徴とする請求項１１に記載の付属品。
【請求項１３】
前記第２の流体流路は、前記流体流路の周りに実質的に連続的に延びることを特徴とする請求項１から請求項１２のいずれか１項に記載の付属品。
【請求項１４】
前記第２の壁は、付属品からの流体出口を含むことを特徴とする請求項１から請求項１３のいずれか１項に記載の付属品。
【請求項１５】
前記第１の壁は、第１の部分及び第２の部分を有し、
前記第１の部分は、前記第２の部分とは異なる形状である、
ことを特徴とする請求項１から請求項１４のいずれか１項に記載の付属品。
【請求項１６】
手持ち式電気器具のための付属品であって、
前記電気器具への接続のための第１の端部と、
第２の端部と、
前記第１の端部から前記第２の端部に向けて延びて付属品を通る流体流路を形成する第１の壁と、
前記第１の壁の周りに前記第２の端部から前記第１の端部に向けて延びて該第１の壁と第２の壁の間を延びる第２の流体流路を形成する第２の壁と、
を有し、
前記第１の壁は、第１の部分及び第２の部分を有し、
前記第１の部分は、前記第２の部分とは異なる形状である、
ことを特徴とする付属品。
【請求項１７】
前記第１の部分は、付属品の前記第１の端部から延びることを特徴とする請求項１５又は請求項１６に記載の付属品。
【請求項１８】
前記第１の部分は、切頭円錐形であることを特徴とする請求項１５から請求項１７のいずれか１項に記載の付属品。
【請求項１９】
前記第２の部分は、前記第２の端部に向けて前記第１の部分から延び、
前記第２の部分は、楕円形である、
ことを特徴とする請求項１５から請求項１８のいずれか１項に記載の付属品。
【請求項２０】
前記第２の壁は、前記第１の壁の前記第２の部分に少なくとも部分的に沿って前記第２の端部から延びることを特徴とする請求項１５から請求項１９のいずれか１項に記載の付属品。
【請求項２１】
内壁が設けられ、該内壁は、付属品の前記第１の部分に沿って延びることを特徴とする請求項１５から請求項２０のいずれか１項に記載の付属品。
【請求項２２】
前記内壁は、該内壁の長さに沿って前記第１の壁から等距離であることを特徴とする請求項２１に記載の付属品。
【請求項２３】
前記内壁は、該内壁の周りに半径方向に前記第１の壁から等距離であることを特徴とする請求項２１又は請求項２２に記載の付属品。
【請求項２４】
前記第２の流体流路は、前記第２の端部に流体開口部を含むことを特徴とする請求項１から請求項２３のいずれか１項に記載の付属品。
【請求項２５】
前記流体開口部は、前記第１の壁及び前記内壁によって形成されることを特徴とする請求項２４に記載の付属品。
【請求項２６】
手持ち式電気器具のための付属品であって、
前記電気器具への接続のための第１の端部と、
第２の端部と、
前記第１の端部から前記第２の端部に向けて延びて付属品を通る流体流路を形成する第１の壁と、
前記第１の壁の周りに前記第２の端部から前記第１の端部に向けて延びて該第１の壁と第２の壁の間を延びる第２の流体流路を形成する第２の壁と、
を有し、
内壁が設けられ、流体開口部が、前記第１の壁及び該内壁によって形成される、
ことを特徴とする付属品。
【請求項２７】
前記流体開口部は、楕円形であることを特徴とする請求項２４から請求項２６のいずれか１項に記載の付属品。
【請求項２８】
前記第２の流体流路は、少なくとも部分的に前記第１の壁によって形成された更に別の流体開口部を含むことを特徴とする請求項１から請求項２７のいずれか１項に記載の付属品。
【請求項２９】
前記流体開口部又は前記更に別の流体開口部のいずれかが、流体入口であることを特徴とする請求項２４から請求項２８のいずれか１項に記載の付属品。
【請求項３０】
前記流体開口部又は更に別の流体開口部のうちのいずれかが、流体出口であることを特徴とする請求項２４から請求項２９のいずれか１項に記載の付属品。
【請求項３１】
使用時に、前記流体流路内を流れる流体が、前記第１の端部から前記第２の端部に向けて流れることを特徴とする請求項１から請求項３０のいずれか１項に記載の付属品。
【請求項３２】
使用時に、前記第２の流体流路内を流れる流体が、前記第１の端部から前記第２の端部に向けて又は該第２の端部から該第１の端部に向けてのいずれかで流れることを特徴とする請求項１から請求項３１のいずれか１項に記載の付属品。
【請求項３３】
手持ち式電気器具のための付属品であって、
前記電気器具への接続のための第１の端部と、
第２の端部と、
前記第１の端部から前記第２の端部に向けて延びて付属品を通る流体流路を形成する第１の壁と、
前記第１の壁の周りに前記第２の端部から前記第１の端部に向けて延びて該第１の壁と第２の壁の間を延びる第２の流体流路を形成する第２の壁と、
を有し、
使用時に、前記第２の流体流路内を流れる流体が、前記第１の端部から前記第２の端部に向けて又は該第２の端部から該第１の端部に向けてのいずれかで流れる、
ことを特徴とする付属品。
【請求項３４】
付属品から流出する流体が、付属品の前記第２の端部から流出されることを特徴とする請求項１から請求項３３のいずれか１項に記載の付属品。
【請求項３５】
前記流出される流体は、前記流体流路からの流体と前記第２の流体流路からの流体の組合せであることを特徴とする請求項３４に記載の付属品。
【請求項３６】
前記流体流路からの流体が、前記第２の流体流路に沿って前記第１の壁と前記第２の壁の間に形成された流体開口部まで流れることを特徴とする請求項１から請求項３３のいずれか１項に記載の付属品。
【請求項３７】
前記第１の壁は、プラスチック材料から作られることを特徴とする請求項１から請求項３６のいずれか１項に記載の付属品。
【請求項３８】
前記第２の壁は、プラスチック材料から作られることを特徴とする請求項１から請求項３７のいずれか１項に記載の付属品。
【請求項３９】
前記第２の壁は、可撓性材料から形成されることを特徴とする請求項１から請求項３３のいずれか１項に記載の付属品。
【請求項４０】
請求項１から請求項３９のいずれか１項に記載の付属品、
を含むことを特徴とするヘヤケア電気器具。
【請求項４１】
ヘヤケア電気器具であって、
ハンドル及び本体と、
電気器具内への主流体入口から前記本体の前端から流体流れを放出するための主流体出口まで延びる主流体流路と、
主流れを前記主流体入口内へ引き込むためのファンユニットと、
付属品と、
を含み、
前記付属品は、
電気器具への接続のための第１の端部と、
第２の端部と、
前記第１の端部から前記第２の端部に向けて延びて前記付属品を通る流体流路を形成する第１の壁と、
前記第１の壁の周りに前記第２の端部から前記第１の端部に向けて延びて該第１の壁と第２の壁の間を延びる第２の流体流路を形成する第２の壁と、
を有し、
前記流体流路は、前記付属品内への流体入口から該付属品の前端を出る流体出口まで延び、該流体入口は、前記主流体出口と流体連通している、
ことを特徴とするヘヤケア電気器具。
【請求項４２】
前記本体は、ダクトを含み、更に別の流体流路が、該ダクトを通って、かつ更に別の流体流れが電気器具に入る更に別の流体入口から該更に別の流体流れを該本体の前端から放出するための更に別の流体出口まで延び、
前記更に別の流体流れは、前記主流体出口から放出された流体によって前記更に別の流体流路を通って引き込まれ、
前記付属品内への前記流体入口は、環状である、
ことを特徴とする請求項４１に記載の電気器具。
【請求項４３】
ヘヤケア電気器具であって、
ハンドル及び本体と、
電気器具内への主流体入口から前記本体の前端から流体流れを放出するための主流体出口まで延びる主流体流路と、
主流れを前記主流体入口内へ引き込むためのファンユニットと、
付属品と、
を含み、
前記付属品は、
電気器具への接続のための第１の端部と、
第２の端部と、
前記第１の端部から前記第２の端部に向けて延びて前記付属品を通る流体流路を形成する第１の壁と、
前記第１の壁の周りに前記第２の端部から前記第１の端部に向けて延びて該第１の壁と第２の壁の間を延びる第２の流体流路を形成する第２の壁と、
を有し、
前記付属品内への流体入口が、環状である、
ことを特徴とするヘヤケア電気器具。
【請求項４４】
前記本体は、ダクトを含み、更に別の流体流路が、該ダクトを通って、かつ更に別の流体流れが電気器具に入る更に別の流体入口から該更に別の流体流れを該本体の前端から放出するための更に別の流体出口まで延び、
前記更に別の流体流れは、前記主流体出口から放出された流体によって前記更に別の流体流路を通って引き込まれる、
ことを特徴とする請求項４３に記載の電気器具。
【請求項４５】
前記付属品は、内壁を更に含み、該内壁は、前記更に別の流体出口を横切って延びて前記更に別の流体流路内に引き込まれる前記更に別の流体流れを低減することを特徴とする請求項４２又は請求項４４に記載の電気器具。
【請求項４６】
前記内壁は、更に、前記付属品を通る前記流体流路を前記第１の壁と共に形成することを特徴とする請求項４５に記載の電気器具。
【請求項４７】
前記内壁は、円錐の形状であり、該円錐の基部が、前記ダクト内に延びることを特徴とする請求項４６に記載の電気器具。
【請求項４８】
前記内壁は、前記円錐の前記基部を横切って延びる基部壁を更に含むことを特徴とする請求項４７に記載の電気器具。
【請求項４９】
前記主流体入口は、前記ハンドル内にあることを特徴とする請求項４１から請求項４８のいずれか１項に記載の電気器具。
【請求項５０】
ヘヤケア電気器具であって、
ハンドル及び本体と、
電気器具内への主流体入口から前記本体の前端から流体流れを放出するための主流体出口まで延びる主流体流路と、
主流れを前記主流体入口内へ引き込むためのファンユニットと、
付属品と、
を含み、
前記付属品は、
電気器具への接続のための第１の端部と、
第２の端部と、
前記第１の端部から前記第２の端部に向けて延びて前記付属品を通る流体流路を形成する第１の壁と、
前記第１の壁の周りに前記第２の端部から前記第１の端部に向けて延びて該第１の壁と第２の壁の間を延びる第２の流体流路を形成する第２の壁と、
を有し、
前記主流体入口は、前記ハンドル内にある、
ことを特徴とするヘヤケア電気器具。
【請求項５１】
前記ファンユニットは、前記ハンドル内にあることを特徴とする請求項４９又は請求項５０に記載の電気器具。
【発明の詳細な説明】
【技術分野】
【０００１】
本発明は、手持ち式電気器具のための付属品に関し、特に、それは、ヘヤードライヤのようなヘヤケア電気器具のための付属品に関する。
【背景技術】
【０００２】
ヘヤードライヤのための取外可能な付属品は、いくつかの異なる用途を有することができる。ヘヤードライヤから出る通常円形の流れは、集中器ノズル／付属品を使用して集中かつ平坦にすることができ、又はそれは、拡散器によって広げて速度を落とすことができる。異なるタイプの付属品は、異なる流量を有する異なる速度で毛髪を乾かし、異なる整髪をもたらすことを可能にする。
【発明の概要】
【発明が解決しようとする課題】
【０００３】
付属品の流体出口は、塞がれた状態になる可能性があり、これは、閉塞が、付属品を通って流れる流体を生成したファンユニットの損傷を引き起こす可能性があるので望ましくない。
【０００４】
付属品を通って流れる流体は、多くの場合に加熱され、付属品の外面を触れるのが不快なほど高温にする。
【課題を解決するための手段】
【０００５】
本発明は、手持ち式電気器具のための付属品を提供し、付属品は、電気器具への接続のための第１の端部、第２の端部、第１の端部から第２の端部に向けて延びて付属品を通る流体流路を形成する第１の壁、第１の壁の周りを第２の端部から第１の端部に向けて延びて第１の壁と第２の壁の間を延びる第２の流体流路を形成する第２の壁を有する。
【０００６】
好ましくは、電気器具の第１の端部は、実質的に円形である。
【０００７】
流体流路は、第１の端部に流体入口を有することが好ましい。好ましくは、流体入口は環状である。好ましくは、流体入口は、第１の壁と、第１の壁の周りにかつ少なくとも部分的にそれに沿って延びる内壁とによって形成される。内壁は、流体入口の周りで第１の壁から実質的に等距離であることが好ましい。
【０００８】
同じく提供するものは、手持ち式電気器具のための付属品であり、付属品は、電気器具への接続のための第１の端部、第２の端部、第１の端部から第２の端部に向けて延びて付属品を通る流体流路を形成する第１の壁、第１の壁の周りを第２の端部から第１の端部に向けて延びて第１の壁と第２の壁の間を延びる第２の流体流路を形成する第２の壁を有し、流体入口は、第１の壁と第１の壁の周りにかつ少なくとも部分的にそれに沿って延びる内壁とによって形成される。
【０００９】
好ましくは、流体流路は、第１の壁及び内壁によって形成される。
【００１０】
内壁は、内壁に沿って第１の壁から実質的に等距離であることが好ましい。好ましくは、内壁は、内壁の周りで第１の壁から実質的に等距離である。
【００１１】
付属品の第２の端部は、非円形であることが好ましい。好ましくは、付属品の第２の端部の寸法は、付属品の第１の端部よりも大きい。付属品の第２の端部は、楕円を表すことが好ましい。
【００１２】
好ましくは、第２の流体流路は、流体流路の周りに実質的に連続して延びる。
【００１３】
これに代えて、第２の流体流路は、第１の流体流路の周りに不連続である。好ましくは、第２の流体流路は、第１の流体流路の周りに付属品の第１の端部よりも大きい寸法を延びる。
【００１４】
第２の壁は、付属品からの流体出口を含むことが好ましい。
【００１５】
好ましくは、第１の壁は、第１の部分及び第２の部分を有し、第１の部分の形状は、第２の部分とは異なる。第１の部分は、付属品の第１の端部から延びることが好ましい。好ましくは、第１の部分は、切頭円錐である。
【００１６】
同じく提供するものは、手持ち式電気器具のための付属品であり、付属品は、電気器具への接続のための第１の端部、第２の端部、第１の端部から第２の端部に向けて延びて付属品を通る流体流路を形成する第１の壁、第１の壁の周りを第２の端部から第１の端部に向けて延びて第１の壁と第２の壁の間を延びる第２の流体流路を形成する第２の壁を有し、第１の壁は、第１の部分及び第２の部分を有し、第１の部分の形状は、第２の部分とは異なる。
【００１７】
第２の部分は、第１の部分ら第２の端部に向けて延び、第２の部分は、楕円形であることが好ましい。
【００１８】
好ましくは、第２の壁は、第２の端部から少なくとも部分的に第１の壁の第２の部分に沿って延びる。
【００１９】
内壁が設けられ、内壁は、付属品の第１の部分に沿って延びることが好ましい。好ましくは、内壁は、内壁の長さに沿って第１の壁から等距離にある。内壁は、内壁の周りに半径方向に第１の壁から等距離にあることが好ましい。
【００２０】
好ましくは、第２の流体流路は、第２の端部に流体開口部を含む。流体開口部は、第１の壁及び内壁によって形成されることが好ましい。好ましくは、流体開口部は、楕円形である。
【００２１】
第２の流体流路は、少なくとも部分的に第１の壁によって形成された更に別の流体開口部を含むことが好ましい。
【００２２】
同じく提供するものは、手持ち式電気器具のための付属品であり、付属品は、電気器具への接続のための第１の端部、第２の端部、第１の端部から第２の端部に向けて延びて付属品を通る流体流路を形成する第１の壁、第１の壁の周りを第２の端部から第１の端部に向けて延びて第１の壁と第２の壁の間を延びる第２の流体流路を形成する第２の壁を有し、内壁が設けられ、流体開口部は、第１の壁及び内壁によって形成される。
【００２３】
好ましくは、流体開口部又は更に別の流体開口部のいずれかは、流体入口である。
【００２４】
流体開口部又は更に別の流体開口部のいずれかは、流体出口であることが好ましい。
【００２５】
好ましくは、第１の壁は、少なくとも第１及び第２の壁の間を延びる複数のリブを含む。
【００２６】
第２の壁は、第１及び第２の壁の間を延びるリブを含むことが好ましい。
【００２７】
好ましくは、リブは、第１及び第２の壁の間で付属品の周りを半径方向に延びる。
【００２８】
使用時に、流体流路を流れる流体は、第１の端部から第２の端部に向けて流れることが好ましい。
【００２９】
好ましくは、使用時に、第２の流体流路を流れる流体は、第１の端部から第２の端部に向けて又は第２の端部から第１の端部に向けてのいずれかで流れる。
【００３０】
同じく提供するものは、手持ち式電気器具のための付属品であり、付属品は、電気器具への接続のための第１の端部、第２の端部、第１の端部から第２の端部に向けて延びて付属品を通る流体流路を形成する第１の壁、第１の壁の周りを第２の端部から第１の端部に向けて延びて第１の壁と第２の壁の間を延びる第２の流体流路を形成する第２の壁を有し、使用時に、第２の流体流路を流れる流体は、第１の端部から第２の端部に向けて又は第２の端部から第１の端部に向けてのいずれかで流れる。
【００３１】
付属品から流出する流体は、付属品の第２の端部から流出することが好ましい。
【００３２】
好ましくは、流出する流体は、流体流路からの流体と第２の流体流路からの流体の組合せである。
【００３３】
流体流路からの流体は、第２の流体流路に沿って第１の壁と第２の壁の間に形成された流体開口部へ流れることが好ましい。
【００３４】
好ましくは、第１の壁は、プラスチック材料から作られる。
【００３５】
第２の壁は、プラスチック材料から作ることが好ましい。
【００３６】
好ましくは、第２の壁は、可撓性材料から形成される。可撓性材料は、シリコンゴムであることが好ましい。
【００３７】
第２の態様により、本明細書に説明する付属品を含むヘヤケア電気器具を提供する。
【００３８】
第３の態様により、ハンドル及び本体、電気器具内への主流体入口から本体の前端から流体流れを放出するための主流体出口まで延びる主流体流路、主流れを主流体入口内へ引き込むためのファンユニット、及び付属品を含むヘヤケア電気器具を提供し、付属品は、電気器具への接続のための第１の端部、第２の端部、第１の端部から第２の端部に向けて延びて付属品を通る流体流路を形成する第１の壁、第１の壁の周りを第２の端部から第１の端部に向けて延びて第１の壁と第２の壁の間を延びる第２の流体流路を形成する第２の壁を有する。
【００３９】
好ましくは、流体流路は、付属品内への流体入口から付属品の前端を出る流体出口まで延び、流体入口は、主流体出口と流体連通している。
【００４０】
本体は、ダクトを含むことが好ましく、更に別の流体流路が、ダクトを通り、かつ更に別の流体流れが付属品に入る更に別の流体入口から更に別の流体流れを本体の前端から放出するための更に別の流体出口まで延び、更に別の流体流れは、主流体出口から放出される流体によって更に別の流体流路を通って引き込まれ、付属品内への流体入口は環状である。
【００４１】
同じく提供するものは、ハンドル及び本体、電気器具内への主流体入口から本体の前端から流体流れを放出するための主流体出口まで延びる主流体流路、主流れを主流体入口内へ引き込むためのファンユニット、及び付属品を含むヘヤケア電気器具であり、付属品は、電気器具への接続のための第１の端部、第２の端部、第１の端部から第２の端部に向けて延びて付属品を通る流体流路を形成する第１の壁、第１の壁の周りを第２の端部から第１の端部に向けて延びて第１の壁と第２の壁の間を延びる第２の流体流路を形成する第２の壁を有し、付属品内への流体入口は環状である。
【００４２】
好ましくは、本体は、ダクトを含み、更に別の流体流路が、ダクトを通り、かつ更に別の流体流れが付属品に入る更に別の流体入口から更に別の流体流れを本体の前端から放出するための更に別の流体出口まで延び、更に別の流体流れは、主流体出口から放出される流体によって更に別の流体流路を通って引き込まれる。
【００４３】
好ましくは、付属品は、内壁を更に含み、内壁は、更に別の流体出口を横切って延びて更に別の流体流路内に引き込まれた更に別の流体流れを低減する。
【００４４】
内壁は、付属品を通る流体流路を第１の壁と共に更に形成することが好ましい。
【００４５】
好ましくは、内壁は、円錐形状であり、円錐の基部は、ダクト内に延びる。
【００４６】
内壁は、円錐の基部を横切って延びる基部壁を更に含むことが好ましい。
【００４７】
好ましくは、主流体入口は、ハンドル内にある。
【００４８】
同じく提供するものは、ハンドル及び本体、電気器具内への主流体入口から本体の前端から流体流れを放出するための主流体出口まで延びる主流体流路、主流れを主流体入口内へ引き込むためのファンユニット、及び付属品を含むヘヤケア電気器具であり、付属品は、電気器具への接続のための第１の端部、第２の端部、第１の端部から第２の端部に向けて延びて付属品を通る流体流路を形成する第１の壁、第１の壁の周りを第２の端部から第１の端部に向けて延びて第１の壁と第２の壁の間を延びる第２の流体流路を形成する第２の壁を有し、主流体入口は、ハンドル内にある。
【００４９】
ファンユニットはハンドル内にあることが好ましい。
【００５０】
好ましくは、ヘヤケア電気器具は、ヘヤードライヤである。
【００５１】
ここで、本発明を一例として添付図面を参照して以下に説明する。
【図面の簡単な説明】
【００５２】
【図１】本発明による付属品を有する電気器具の斜視図である。
【図２】図１の電気器具及び付属品の分解斜視図である。
【図３】図１の電気器具及び付属品の側面図である。
【図４】図３の側面図を通る断面図である。
【図５】図３の付属品の側面図を通る断面図である。
【図６】図３の線Ａ−Ａを通る断面図である。
【図７】図１に示す付属品の分解組立図である。
【図８】本発明による代替付属品を有する電気器具の斜視図である。
【図９】図８の電気器具及び代替付属品の分解斜視図である。
【図１０】図８の付属品の側面図を通る断面図である。
【図１１】図８の付属品の側面図を通る直交断面図である。
【図１２】図８の付属品の端面図である。
【図１３】図８の付属品の平面図である。
【図１４】更に別の代替付属品を示す図である。
【図１５】図１４に示す付属品の分解組立図である。
【図１６】図１４に示す付属品の側部を通る断面図である。
【図１７】図１４の付属品の上部を通る断面図である。
【発明を実施するための形態】
【００５３】
図１から図４は、ヘヤードライヤ１０及び付属品１００を示している。ヘヤードライヤは、ハンドル２０及び本体３０を有する。本体は、第１の端部３２及び第２の端部３４を有する。図４を特に参照して、ハンドル２０は、本体３０からハンドルの遠位端２４まで延びる外壁２００を有する。ハンドルの遠位端２４では、端壁２１０が、外壁２００を横切って延びる。端壁２１０を通ってケーブル５０がヘヤードライヤ内に入っている。ハンドル２０は、ハンドルの外壁２００の周りにかつそれに沿って延びる第１の開口４２と、ハンドル２０の端壁２１０を横切ってかつそれを通って延びる第２の開口４６とを有する主入口４０を含む。端壁２１０のほぼ中央にケーブル５０が位置付けられてハンドル２０の中心から延びている。端壁２１０は、ハンドルの外壁２００と直交している。
【００５４】
特に図４を参照して、主入口４０の上流には、ファンユニット７０が設けられる。ファンユニット７０は、ファン及びモーターを含む。ファンユニット７０は、主入口４０から流体流路４００を通って本体３０内へ流体を引き込み、流体流路４００は、主入口４０から延び、ハンドル２０と本体３０の接合部９０で本体３０に入る。流体流路４００は、本体の第２の端部３４に向けて本体３０を通り、加熱器８０を通り、本体の第２の端部３４にある主流体出口４４０へ至るように続き、ファンユニットによって引き込まれた流体は、主流体出口４４０で主流体流路４００から出る。主流体流路４００は、非直線状であり、ハンドル２０を第１の方向に通って延び、本体３０を第１の方向と直交する第２の方向に通って延びる。
【００５５】
本体３０は、外壁３６０及び内側ダクト３１０を含む。主流体流路４００は、ハンドル２０と本体３０との接合部９０から外壁３６０とダクト３１０の間を本体３０の第２の端部３４にある主流体出口４４０へ向けて本体に沿って延びる。本体の外壁３６０は、ダクト３１０及び本体３０の中心線Ａ−Ａに向けて収束している。
【００５６】
本体内には別の流体流路が設けられ、この流れは、ファンユニット又は加熱器によって直接には処理されず、ファンユニットの作用によってヘヤードライヤ内へ引き込まれ、ヘヤードライヤを通る主流れを生成する。この流体流れは、主流体流路４００を通って流れる流体によってヘヤードライヤ内へ同伴される。
【００５７】
本体の第１の端部３２は、流体入口３２０を含み、本体の第２の端部３４は、流体出口３４０を含む。流体入口３２０及び流体出口３４０は両方とも、本体３０の内壁であって本体内をかつそれに沿って延びる内側ダクト３１０によって少なくとも部分的に形成される。流体流路３００は、ダクト内で流体入口３２０から流体出口３４０まで延びる。本体３０の第１の端部３２では、外壁３６０とダクト３１０の間に側壁３５０が延びる。側壁３５０は、少なくとも部分的に流体入口３２０を形成する。本体の第２の端部３４では、主流体出口４４０を形成する間隙が、外壁３６０とダクトの間に設けられる。主流体出口４４０は、環状であって流体流路を取り囲んでいる。
【００５８】
ダクト３１０は、ヘヤードライヤの外側からアクセスすることができるヘヤードライヤの内部壁である。従って、ダクト３１０は、ヘヤードライヤの外部壁である。
【００５９】
ヘヤードライヤのための制御電子機器を含むＰＣＢ７５が、本体３０内で側壁３５０及び流体入口３２０の近くに位置付けられる。ＰＣＢ７５は、リング形状を有してダクト３１０と外壁３６０の間でダクト３１０の周りに延びる。ＰＣＢ７５は、主流体流路４００と流体連通している。ＰＣＢ７５は、流体流路３００の周囲に延び、ダクト３１０によって流体流路３００から隔離される。
【００６０】
ＰＣＢ７５は、加熱器８０の温度及びファンユニット７０の回転速度のようなパラメータを制御する。内部配線（図示しない）が、加熱器８０及びファンユニット７０及びケーブル５０へＰＣＢ７５を電気的に接続している。制御ボタン６２、６４が設けられてＰＣＢ７５に接続され、ユーザが例えばある範囲の温度設定値及び流量から選択することを可能にしている。
【００６１】
付属品なしの使用時に、流体は、ファンユニット７０の作用によって主流体流路４００内へ引き込まれ、任意的に加熱器８０によって加熱され、主流体出口４４０から出る。この処理された流れにより、流体は、流体入口３２０で流体流路３００内へ同伴される。流体は、本体の第２の端部３４で処理された流れと結合する。図２に示す例では、処理された流れは、同伴された流れを取り囲む環状流れが流体出口３４０を通ってヘヤードライヤから出る時に主流体出口４４０及びヘヤードライヤから出る。従って、ファンユニット及び加熱器によって処理された流体は、同伴された流れによって増強される。
【００６２】
特に図４から図７を参照して、付属品１００は、ヘヤードライヤ１０の第２の端部３４に接続される。付属品１００は、ヘヤードライヤの主流体流路４００と流体連通する第１の流体流路１１０と第２の流体流路１２０とを含む。
【００６３】
付属品１００は、第１の端部１０２から延びる第１の壁１３０と、付属品１００の第２の端部１０４から延びる第２の壁１４０とを含む。使用時に、付属品の第１の端部１０２は、ヘヤードライヤの第２の端部３４に接続される。この実施形態において、接続は、ヘヤードライヤの本体３０の第２の端部３４の前面３６４の背後に配置された１つ又はそれよりも多くの磁石又は磁性材料３６２と、付属品の第１の端部１０２で第１の壁１３０に埋め込まれた磁性材料のリング１３２（図７参照）との間の磁力を使用して達成される。しかし、付属品を取外可能に取り付ける他の同等に実行可能な方法があることは当業者には明らかであろう。
【００６４】
付属品１００は、第１の端部１０２から延びる第１の部品１０６と第２の端部１０４から延びる第２の部品１０８との２つの外部部品を有すると考えることができる。第１の部品１０６は、円形の第１の端部１０２を有して形状がほぼ円錐形であり、かつヘヤードライヤ１０の第２の端部３４に取り付けるように適応されかつそのような大きさにされる。第２の部品１０８の形状は、付属品から出る流体の集束流れを与えるようにほぼ楕円形である。第１の部品１０６は、流れの方向に円錐の頂点に向けて、すなわち、付属品の第１の端部１０２から第２の端部１０４へテーパがつけられる。テーパの角度αは、第２の端部３４に向けて直径が減少するヘヤードライヤ１０の外壁３６０ａの第２の端部３４に向けた線に連続する。第２の部品１０８の上流端１０８ａは、第１の部品１０６が円錐の頂点に達するであろう前に円錐と交差する。
【００６５】
第１の部品１０６は、第１の壁１３０の切頭円錐形である部分１３４に対応し、第２の部品は、第１の壁のほぼ楕円形である部分１３６に対応する。
【００６６】
特に図５、図６、及び図７を参照して、付属品１００は、最初に第１の壁１３０と内部栓１６０の間に形成された第１の流体流路１１０を有する。付属品の第１の端部１０２に第１の流体流路１１０への流体入口１１２が設けられ、付属品の第２の端部１０４に流体出口１１４が設けられる。この第１の流体流路１１０は、付属品１００がヘヤードライヤ１０へ接続された時に、ヘヤードライヤの主出口４４０と流体連通される。
【００６７】
栓１６０は、側壁１６２及び基部１６４を有する。側壁１６２は、第１の壁１３０の内面１３０ａと共に、付属品の第１の部品１０６を通って流れる時の第１の流体流路１１０を形成する。側壁１６２はほぼ円錐形であり、第１の壁１３０の切頭円錐部分１３４によって表される形状に酷似している。従って、切頭円錐部分１３４と側壁１６２の間の間隙又は距離は一定である。第１の流体流路１１０が付属品の第２の部品１０８内に流れる時に、その外部形状は、円錐からほぼ楕円に変化し、従って、側壁１６２は、その頂点１６６に向う線１６８の中に平坦化し、第１の流体流路１１０の第１の環状流れ１１０ａは、楕円形流れ１１０ｂになる（図７）。
【００６８】
この例において、栓１６０は、栓１６０の側壁１６２の周りの４つの個別の場所１３８で第１の壁１３０の内面１３０ａへ超音波溶接される。側壁１６２は、第１の端部１０２で第１の壁１３０から外向きに突出するので、電気器具１０のダクト３１０に緩く係合し、通常はダクト３１０に沿って流体流路３００内へ引き込まれると考えられる同伴された流れを少なくとも部分的に塞ぐことができる。ダクト３１０を部分的に塞ぐことは、流体流路１１０に沿ったいずれの有意な同伴も防止するのに十分であり、同じく付属品１００を取り外す時又は電気器具を落とした時にダクト３１０が損傷することを防止する。
【００６９】
付属品１００を取り付けて電気器具が作動される時に、ヘヤードライヤの主流体出口４４０から出る主流れは、電気器具の第１の流体流路１１０に沿って環状部分１１０ａ及び楕円形部分１１０ｂを通って流体出口１１４へと続く。
【００７０】
付属品は、付属品の第２の端部１０８から第２の部品の上流端１０８ａに向けて延びる第２の壁１４０を含む。第２の壁１４０は、第１の壁１３０の周囲に延びる。第２の壁１４０は、第１の壁１３０の全ての側面上で又は円周全体上で第１の壁１３０を取り囲んで第１の壁の周りに延びる。
【００７１】
第２の壁１４０は、流体出口１１４を形成し、その理由は、第１の壁１３０が、第２の壁１４０内に窪んでおり、付属品１００の第２の端部１０８までその全体を延びないからである。従って、付属品の第２の端部１０４において、第１の壁１３０の下流端１３６ｂと第２の壁１４０の下流端１４０ｂとの間に流体開口部１４４の形態の間隙が設けられる。
【００７２】
第２の壁１４０は、付属品１００の第２の部品１０８の上流端１０８ａまでその全体を延びない。従って、第２の壁１４０の上流端１４０ａと第１の壁１３０の間に第２の流体開口部１４２の形態の間隙が設けられる。第２の壁１４０と第１の壁１３０の楕円部分１３６との間で流体開口部１４４と第２の流体開口部１４２の間に第２の流体流路１２０が設けられる。
【００７３】
通常の使用中に、すなわち、毛髪が乾燥かつ整髪されている時に、流体は、ヘヤードライヤ１０の主流体出口４４０から第１の流体流路１１０に沿って流れ、環状部分１１０ａ及び楕円部分１１０ｂを通り、流体出口１１４に向けて通過する。第１の流体流路１１０に沿って流れる流体の作用は、第２の流体１４６を第２の流体開口部１４２内へかつ第２の流体流路１２０に沿って流体開口部１４４まで引き込み、そこで、第１の流体流れ１１０と第２の流体流れ１２０が結合して流体出口１１４で付属品から出る。従って、第１の流体流れは、同伴された第２の流体流れによって増強される。
【００７４】
付属品の第２の端部１０４は、前面が平坦になっているので、流体出口１１４が塞がれる可能性があり、例えば、毛髪の位置が流体出口１１４に近すぎると、流体出口１１４から流出することができる流体の容積を制限する。このような状況が起こると、第１の流体流路１１０からの流体は、流体開口部１４４を通り第２の流体流路１２０に沿って第２の流体開口部１４２へ至る逃げ路１４８を有する。これが可能な理由は、流体出口１１４を通る流れが部分的に塞がれると、第２の流体１４６を第２の流体開口部１４２内へ引き込む同伴効果は低減し、流体出口１１４の閉塞がある割合になると第２の流体１４６の同伴が最小になるからである。更に、流体出口１１４に対するいかなる閉塞の程度にも関係なく、ヘヤードライヤ内のファンユニット７０は、これを通って主流体出口４４０へ至るのと同量の流体を処理し、閉塞がある割合又は程度になると、主流れのこの流量及び圧力が第２の流体１４６に対抗する圧力を超え、主流れは、第２の流体流路１２０を通って付属品から出る。主流れのための代わりの排気口又は出口がなければ、ヘヤードライヤ内の圧力は上昇してファンユニット７０を損傷させる場合があるので、これは安全に関する重要な特徴である。
【００７５】
この実施形態において、第１の壁１３０は、ヘヤードライヤで遭遇する温度に耐えることができるプラスチック材料から形成され、適切な材料は、ポリカーボネート、ガラス充填ＰＰＡ（ポリフタルアミド）、ＰＰＳ（ポリフェニレンサルフィド）、ＬＣＡＰ（液晶芳香族ポリマー）、又はＰＥＥＫ（ポリエーテルエーテルケトン）であるが、当業者はこのリストは網羅的でないことを理解するであろう。
【００７６】
第２の壁１４０は、第１の壁１３０にわたって引かれたシリコンゴムから形成され、かつ複数のリブ１７２が適切な位置に保持され、複数のリブ１７２は、第１の壁１３０の楕円部分１３６に軸線方向に沿って、半径方向に周りに、かつ流体出口１１４の周りに延びてリブ１７２によって第１の壁１３０に接続又は架橋された前部リム１７０の近くに延びる。これらのリブ１７２は、第２の流体流路１２０を形成する第１の壁１３０と第２の壁１４０の間の間隙を保つスペーサである。第２の壁１４０にゴムを使用すれば、付属品の第２の部品１０８の上に冷却水が与えられ、第１の流体流路１１０に沿って流れる加熱された主流れが付属品の第２の壁１４０から離間する利点が得られる。第２の流体流路１２０に沿う主流れの逃げ路１４８が塞がれた時に、ゴムは、熱をゆっくり吸収し、どのような閉塞も直ちにユーザに明らかになり、直接に加熱された流れを長時間ゴムに露出することが防止される。
【００７７】
図８から図１３を参照して、第２の実施形態を説明する。図１から図７に関連して説明した付属品１００に共通する特徴には同じ参照番号が使用される。
【００７８】
ヘヤードライヤ１０は、特に図３に関連して上述したように作動し、主流体出口４４０が環状オリフィスとして設けられる。主流体出口４４０は、付属品がヘヤードライヤ１０へ取り付けられた時に、付属品２００への流体入口１１２と流体連通される。
【００７９】
この実施形態において、付属品２００は、第１の壁１３０との単一のユニットとしてプラスチックから形成された第２の壁２１０を含む。第１の壁１３０は、第２の壁２１０内に窪んでいるので、付属品２００の第２の端部１０４まで延びない。第１の壁１３０と第２の壁２１０の間に第２の流体流路２２０が形成される。第２の壁２１０は、第２の端部１０４から付属品２００の第２の部品１０８の上流端１０８ａに向けて延びるが、上流端１０８ａまでその全体を延びず、従って、第２の壁２１０の上流端２１０ａと第１の壁１３０の間に第２の流体開口部２２２が形成される。
【００８０】
通常の使用中に、流体は、ヘヤードライヤから主流体出口４４０を通って第１の流体流路１１０内に入り、第１環状部分１１０ａを通って第２の楕円部分１１０ｂ及び流体出口１１４へ至るように流れる。第１の流体流路１１０に沿って流れる流体の作用は、第２の流体流れ１４６を第２の流体開口部２２２内へかつ第２の流体流路２２０に沿って引き込み又は同伴する。第１の壁１３０の下流端１３６ｂで、第１の流体流れ１１０と第２の流体流れ１２０とが合流又は結合して流体出口１１４から出る。
【００８１】
流体出口１１４に閉塞が存在する事象において、第２の流体流路２２０は、第１の流体流路１１０内を流れる流れのための第２の流体開口部２２２の形態の代わりの出口を与える。流体出口１１４が塞がれた場合に、第１の壁１３０の下流端１３６ｂと第２の壁２１０の下流端２１０ｂとの間にあり、かつ第２の流体流路２２０に沿って第２の流体開口部へ至る間隙は、第１の流体流れのための逃げ路２４８を与える。逃げ路２４８により、圧力の上昇を引き起こし、恐らくはヘヤードライヤ１０のファンユニット７０を損傷させる流体出口１１４での閉塞がなくなる。
【００８２】
特に図１２を参照して、この実施形態において、第２の流体流路２２０は、第１の流体流路１１０の周りで不連続である。第２の壁２１０の下流端２１０ｂでの流体出口の形状は、ほぼ楕円形であるが、平坦側面の上部２３０及び底部２３２を有する（示す向きで）。換言すれば、楕円の長軸は、平坦側面２３０、２３２を有し、一方、楕円の短軸は、丸みを帯びた側面２３４、２３６を有する。丸みを帯びた側面で、第１の壁１３０は、第２の壁２１０の丸みを帯びた側面２３４、２３６と結合するので、第２の流体流路は、第１の部分２２０ａと第２の部分２２０ｂに分割される。従って、第１の壁の内面１３０ａは、第２の壁２１０の内面になり、そこで第１の壁１３０と第２の壁２１０が融合する。このようにする理由は、付属品２００の第１の壁１３０及び第２の壁２１０が、成形プラスチックの単一部分から形成され、第２の流体流路２２０が、成形後工程で機械加工されるからである。丸みを帯びた側面２３４、２３６での空間は制約されるので、第２の流体流路２２０は、製造コストを制限するために２つの部分２２０ａ、２２０ｂとして機械加工される。
【００８３】
図１４に更に別の付属品２５０が示されている。この実施形態において、図１から図１３に関連して説明した各付属品１００、２００に共通する各特徴には、同じ参照番号が使用される。
【００８４】
この実施形態において、第１の壁１３０と第２の壁２６０は、単一ユニットとしてプラスチックに成形され、第２の流体流路２７０は、第１の流体流路１１０の周り又は周囲の全体に延びる。その後に、栓１６０が、第１の壁１３０の内面１３０ａ上に４つの離間リブ２６２を通じて超音波成形される。第１の壁１３０は、第２の壁２６０内に窪んでいるので、付属品２５０の第２の端部１０４まで延びない。第１の壁１３０と第２の壁２６０の間に第２の流体流路２７０が形成される。第２の壁２６０は、第２の端部１０４から付属品２５０の第２の部品１０８の上流端１０８ａに向けて延びる。第２の流体流路２７０は、上流端１０８ａまで全体を延びず、従って、第２の壁２６０の上流端２６０ａと第１の壁１３０との間に第２の流体開口部２７２が形成される。
【００８５】
通常の使用中に、流体は、ヘヤードライヤから主流体出口４４０を通って付属品の流体入口１１２及び第１の流体流路１１０内に入り、第１の環状部分１１０ａを通って第２の楕円部分１１０ｂ及び流体出口１１４へ至るように流れる。第１の流体流路１１０に沿って流れるこの流体の作用は、第２の流体流れ１４６を第２の流体開口部２７２内へかつ第２の流体流路２７０に沿って引き込み又は同伴する。第１の壁１３０の下流端１３６ｂで、第１の流体流れ１１０と第２の流体流れ１２０は、合流又は結合して流体出口１１４から出る。
【００８６】
流体出口１１４への閉塞が存在する事象において、第２の流体流路２７０は、第１の流体流路１１０内を流れる流れのための第２の流体開口部２７２の形態の代わりの出口を与える。流体出口１１４が塞がれた場合に、第１の壁１３０の下流端１３６ｂと第２の壁２６０の下流端２６０ｂとの間にあって第２の流体流路２７０に沿って第２の流体開口部２７２へ至る間隙２７４が、第１の流体流れのための逃げ路２７８を与える。逃げ路２７８により、圧力の上昇を引き起こし、恐らくはヘヤードライヤ１０のファンユニット７０を損傷させる流体出口１１４の閉塞がなくなる。
【００８７】
この実施形態において、第２の流体流路２７０は、第１の流体流路１１０の周り及び第２の壁２６０の長さに沿って連続している。第１の壁１３０の下流端１３０ｂに形成された流体出口２７６は、ほぼ楕円形又は長円形であり、第１の流体流路１１０の端部を取り囲む。連続した第２の流体流路２７０を有することにより、第１の流体流路１１０の周り全体に間隙が保たれるという利点が得られる。従って、第２の流体流路２７０は、流体出口１１４が少なくとも部分的に塞がれた事象において、第１の流体流れのための外部の同伴又は逃げの経路を与えることに加えて、第１の流体流路１１０を流れる加熱された第１の流体流れを絶縁する。従って、第２の壁２６０は冷たい壁であり、加熱された流体流れ（第１の流体流れ）に直接に接触している面（第１の壁１１０）にユーザが直接に触れることを防止する。
【００８８】
図８から図１３に関連して説明した実施形態に対して、第２の流体流路２２０は、第１の流体流路１１０の周りで不連続であるので、壁が冷たくなるのは、この例では平坦な側面２３０、２３２を有する楕円の長軸に沿った第２の流体流れが第１の流体流れの周囲にある領域だけである。しかし、第２の流体流路２２０は、第１の壁１３０の周囲の大部分を取り囲むので、冷たい壁として依然として有効である。
【００８９】
図示の全ての実施形態において、付属品１００、２００、２５０は、第１の端部１０２の円形の入口端と、楕円形又は長円形の第２の端部１０４又は出口端とを有する。楕円の長軸は、円形入口又は第１の端部１０２の直径よりも長い又は寸法が大きい。楕円の短軸は、円形入口又は第１の端部１０２の直径よりも短い又は寸法が小さい。
【００９０】
この実施形態において、栓１６０は、基部１６４を持たず、基部は、栓の内部の作動を隠すための大きいカップであり、例えば、仮に栓がスクリューを用いて付属品の残った部分へ取り付けられたとすれば、これは、付属品がヘヤードライヤに取り付けられていない場合にユーザから隠されるであろう。
【００９１】
栓は、以下に限定されるものではないが、溶接、ネジ、及び接着を含むいくつかの手段のいずれによっても付属品の残った部分に取り付けることができ、これは当業者には明らかである。同様に、付属品は、以下に限定されるものではないが、磁石、スナップ装着、摩擦嵌め、及び溶接又は接着のような永続的方法によってもかつ各部品に使用する材料に応じてヘヤードライヤに取り付けることができ、これも当業者には明らかである。
【００９２】
図示の付属品１００、２００、２５０は、増幅ヘヤードライヤ１０、換言すれば、処理された流れ（ファンユニットを流れている）が同伴された空気によって増強され又は増幅されるヘヤードライヤを用いて表現したが、それらは、従来のヘヤードライヤで使用する時にも同等に適用可能であり、そのような場合に、栓１６０は、付属品から取り外されるか、又は栓１６０は、内部ダクト３１０を塞ぐ代わりに、主流れを部分的に塞いで円形流れをその面の上の環状流れに転換すると考えられる。
【００９３】
ヘヤードライヤ１０及び付属品１００、２００、２５０の他の特徴は、本明細書に説明した発明概念に影響を与えずに変更することができる。付属品の入口１１２、出口１１４の形状は可変であり、付属品には、異なる形状を有する２つの部品１０６、１０８を設ける必要はない。付属品は、集中器の代わりに拡散器とすることができるであろう。ヘヤードライヤ入口と、制御ボタンと、ファンユニット、加熱器、及びＰＣＢのような内部特徴とは、全て例示である。
【符号の説明】
【００９４】
１０  ヘヤードライヤ
２０  ハンドル
３０  本体
１００  付属品
３００  流体流路
【図１】
2015024137.tif 000003
【図２】
2015024137.tif 000004
【図３】
2015024137.tif 000005
【図４】
2015024137.tif 000006
【図５】
2015024137.tif 000007
【図６】
2015024137.tif 000008
【図７】
2015024137.tif 000009
【図８】
2015024137.tif 000010
【図９】
2015024137.tif 000011
【図１０】
2015024137.tif 000012
【図１１】
2015024137.tif 000013
【図１２】
2015024137.tif 000014
【図１３】
2015024137.tif 000015
【図１４】
2015024137.tif 000016
【図１５】
2015024137.tif 000017
【図１６】
2015024137.tif 000018
【図１７】
2015024137.tif 000019
【手続補正書】
【提出日】平成26年12月2日(2014.12.2)
【手続補正１】
【補正対象書類名】明細書
【補正対象項目名】００６８
【補正方法】変更
【補正の内容】
【００６８】
この例において、栓１６０は、栓１６０の側壁１６２の周りの４つの個別の場所１３８で第１の壁１３０の内面１３０ａへ超音波溶接される。側壁１６２は、第１の端部１０２で第１の壁１３０から外向きに突出するので、電気器具１０のダクト３１０に緩く係合し、通常はダクト３１０に沿って流体流路３００内へ引き込まれると考えられる同伴された流れを少なくとも部分的に塞ぐことができる。ダクト３１０を部分的に塞ぐことは、流体流路３００に沿ったいずれの有意な同伴も防止するのに十分であり、同じく付属品１００を取り外す時又は電気器具を落とした時にダクト３１０が損傷することを防止する。
【手続補正２】
【補正対象書類名】特許請求の範囲
【補正対象項目名】全文
【補正方法】変更
【補正の内容】
【特許請求の範囲】
【請求項１】
手持ち式電気器具のための付属品であって、
前記電気器具への接続のための第１の端部と、
第２の端部と、
前記第１の端部から前記第２の端部に向けて延びて付属品を通る流体流路を形成する第１の壁と、
前記第１の壁の周りに前記第２の端部から前記第１の端部に向けて延びて該第１の壁と第２の壁の間を延びる第２の流体流路を形成する第２の壁と、
を有し、
前記流体流路は、前記第１の端部に流体入口を有し、
流体入口が、環状である、
ことを特徴とする付属品。
【請求項２】
前記流体入口は、前記第１の壁と該第１の壁の周りにかつ少なくとも部分的にそれに沿って延びる内壁とによって形成されることを特徴とする請求項１に記載の付属品。
【請求項３】
手持ち式電気器具のための付属品であって、
前記電気器具への接続のための第１の端部と、
第２の端部と、
前記第１の端部から前記第２の端部に向けて延びて付属品を通る流体流路を形成する第１の壁と、
前記第１の壁の周りに前記第２の端部から前記第１の端部に向けて延びて該第１の壁と第２の壁の間を延びる第２の流体流路を形成する第２の壁と、
を有し、
流体入口が、前記第１の壁と該第１の壁の周りにかつ少なくとも部分的にそれに沿って延びる内壁とによって形成される、
ことを特徴とする付属品。
【請求項４】
前記内壁は、前記流体入口の周りで前記第１の壁から実質的に等距離であることを特徴とする請求項２又は請求項３に記載の付属品。
【請求項５】
前記流体流路は、前記第１の壁及び前記内壁によって形成されることを特徴とする請求項２から請求項４のいずれか１項に記載の付属品。
【請求項６】
前記内壁は、該内壁に沿って前記第１の壁から実質的に等距離であることを特徴とする請求項５に記載の付属品。
【請求項７】
前記内壁は、該内壁の周りで前記第１の壁から実質的に等距離であることを特徴とする請求項５又は請求項６に記載の付属品。
【請求項８】
前記第２の壁は、付属品からの流体出口を含むことを特徴とする請求項１から請求項７のいずれか１項に記載の付属品。
【請求項９】
前記第１の壁は、第１の部分及び第２の部分を有し、
前記第１の部分は、前記第２の部分とは異なる形状である、
ことを特徴とする請求項１から請求項８のいずれか１項に記載の付属品。
【請求項１０】
手持ち式電気器具のための付属品であって、
前記電気器具への接続のための第１の端部と、
第２の端部と、
前記第１の端部から前記第２の端部に向けて延びて付属品を通る流体流路を形成する第１の壁と、
前記第１の壁の周りに前記第２の端部から前記第１の端部に向けて延びて該第１の壁と第２の壁の間を延びる第２の流体流路を形成する第２の壁と、
を有し、
前記第１の壁は、第１の部分及び第２の部分を有し、
前記第１の部分は、前記第２の部分とは異なる形状である、
ことを特徴とする付属品。
【請求項１１】
前記第１の部分は、付属品の前記第１の端部から延びることを特徴とする請求項９又は請求項１０に記載の付属品。
【請求項１２】
前記第１の部分は、切頭円錐形であることを特徴とする請求項９から請求項１１のいずれか１項に記載の付属品。
【請求項１３】
前記第２の部分は、前記第２の端部に向けて前記第１の部分から延び、
前記第２の部分は、楕円形である、
ことを特徴とする請求項９から請求項１２のいずれか１項に記載の付属品。
【請求項１４】
前記第２の壁は、前記第１の壁の前記第２の部分に少なくとも部分的に沿って前記第２の端部から延びることを特徴とする請求項９から請求項１３のいずれか１項に記載の付属品。
【請求項１５】
内壁が設けられ、該内壁は、付属品の前記第１の部分に沿って延びることを特徴とする請求項９から請求項１４のいずれか１項に記載の付属品。
【請求項１６】
前記内壁は、該内壁の長さに沿って前記第１の壁から等距離であることを特徴とする請求項１５に記載の付属品。
【請求項１７】
前記内壁は、該内壁の周りに半径方向に前記第１の壁から等距離であることを特徴とする請求項１５又は請求項１６に記載の付属品。
【請求項１８】
前記第２の流体流路は、前記第２の端部に流体開口部を含むことを特徴とする請求項１から請求項１７のいずれか１項に記載の付属品。
【請求項１９】
前記流体開口部は、前記第１の壁及び前記内壁によって形成されることを特徴とする請求項１８に記載の付属品。
【請求項２０】
手持ち式電気器具のための付属品であって、
前記電気器具への接続のための第１の端部と、
第２の端部と、
前記第１の端部から前記第２の端部に向けて延びて付属品を通る流体流路を形成する第１の壁と、
前記第１の壁の周りに前記第２の端部から前記第１の端部に向けて延びて該第１の壁と第２の壁の間を延びる第２の流体流路を形成する第２の壁と、
を有し、
内壁が設けられ、流体開口部が、前記第１の壁及び該内壁によって形成される、
ことを特徴とする付属品。
【請求項２１】
前記流体開口部は、楕円形であることを特徴とする請求項１８から請求項２０のいずれか１項に記載の付属品。
【請求項２２】
前記第２の流体流路は、少なくとも部分的に前記第１の壁によって形成された更に別の流体開口部を含み、前記流体開口部又は前記更に別の流体開口部のいずれかが、流体入口であることを特徴とする請求項１８から請求項２１のいずれか１項に記載の付属品。
【請求項２３】
前記第２の流体流路は、少なくとも部分的に前記第１の壁によって形成された更に別の流体開口部を含み、前記流体開口部又は更に別の流体開口部のうちのいずれかが、流体出口であることを特徴とする請求項１８から請求項２２のいずれか１項に記載の付属品。
【請求項２４】
使用時に、前記第２の流体流路内を流れる流体が、前記第１の端部から前記第２の端部に向けて又は該第２の端部から該第１の端部に向けてのいずれかで流れることを特徴とする請求項１から請求項２３のいずれか１項に記載の付属品。
【請求項２５】
手持ち式電気器具のための付属品であって、
前記電気器具への接続のための第１の端部と、
第２の端部と、
前記第１の端部から前記第２の端部に向けて延びて付属品を通る流体流路を形成する第１の壁と、
前記第１の壁の周りに前記第２の端部から前記第１の端部に向けて延びて該第１の壁と第２の壁の間を延びる第２の流体流路を形成する第２の壁と、
を有し、
使用時に、前記第２の流体流路内を流れる流体が、前記第１の端部から前記第２の端部に向けて又は該第２の端部から該第１の端部に向けてのいずれかで流れる、
ことを特徴とする付属品。
【請求項２６】
付属品から流出する流体が、付属品の前記第２の端部から流出されることを特徴とする請求項１から請求項２５のいずれか１項に記載の付属品。
【請求項２７】
前記流出される流体は、前記流体流路からの流体と前記第２の流体流路からの流体の組合せであることを特徴とする請求項２６に記載の付属品。
【請求項２８】
前記流体流路からの流体が、前記第２の流体流路に沿って前記第１の壁と前記第２の壁の間に形成された流体開口部まで流れることを特徴とする請求項１から請求項２５のいずれか１項に記載の付属品。
【請求項２９】
請求項１から請求項２８のいずれか１項に記載の付属品、
を含むことを特徴とするヘヤケア電気器具。
【請求項３０】
ヘヤケア電気器具であって、
ハンドル及び本体と、
電気器具内への主流体入口から前記本体の前端から流体流れを放出するための主流体出口まで延びる主流体流路と、
主流れを前記主流体入口内へ引き込むためのファンユニットと、
付属品と、
を含み、
前記付属品は、
電気器具への接続のための第１の端部と、
第２の端部と、
前記第１の端部から前記第２の端部に向けて延びて前記付属品を通る流体流路を形成する第１の壁と、
前記第１の壁の周りに前記第２の端部から前記第１の端部に向けて延びて該第１の壁と第２の壁の間を延びる第２の流体流路を形成する第２の壁と、
を有し、
前記流体流路は、前記付属品内への流体入口から該付属品の前端を出る流体出口まで延び、該流体入口は、前記主流体出口と流体連通している、
ことを特徴とするヘヤケア電気器具。
【請求項３１】
前記本体は、ダクトを含み、更に別の流体流路が、該ダクトを通って、かつ更に別の流体流れが電気器具に入る更に別の流体入口から該更に別の流体流れを該本体の前端から放出するための更に別の流体出口まで延び、
前記更に別の流体流れは、前記主流体出口から放出された流体によって前記更に別の流体流路を通って引き込まれ、
前記付属品内への前記流体入口は、環状である、
ことを特徴とする請求項３０に記載の電気器具。
【請求項３２】
ヘヤケア電気器具であって、
ハンドル及び本体と、
電気器具内への主流体入口から前記本体の前端から流体流れを放出するための主流体出口まで延びる主流体流路と、
主流れを前記主流体入口内へ引き込むためのファンユニットと、
付属品と、
を含み、
前記付属品は、
電気器具への接続のための第１の端部と、
第２の端部と、
前記第１の端部から前記第２の端部に向けて延びて前記付属品を通る流体流路を形成する第１の壁と、
前記第１の壁の周りに前記第２の端部から前記第１の端部に向けて延びて該第１の壁と第２の壁の間を延びる第２の流体流路を形成する第２の壁と、
を有し、
前記付属品内への流体入口が、環状である、
ことを特徴とするヘヤケア電気器具。
【請求項３３】
前記本体は、ダクトを含み、更に別の流体流路が、該ダクトを通って、かつ更に別の流体流れが電気器具に入る更に別の流体入口から該更に別の流体流れを該本体の前端から放出するための更に別の流体出口まで延び、
前記更に別の流体流れは、前記主流体出口から放出された流体によって前記更に別の流体流路を通って引き込まれる、
ことを特徴とする請求項３２に記載の電気器具。
【請求項３４】
ヘヤケア電気器具であって、
ハンドル及び本体と、
電気器具内への主流体入口から前記本体の前端から流体流れを放出するための主流体出口まで延びる主流体流路と、
主流れを前記主流体入口内へ引き込むためのファンユニットと、
付属品と、
を含み、
前記付属品は、
電気器具への接続のための第１の端部と、
第２の端部と、
前記第１の端部から前記第２の端部に向けて延びて前記付属品を通る流体流路を形成する第１の壁と、
前記第１の壁の周りに前記第２の端部から前記第１の端部に向けて延びて該第１の壁と第２の壁の間を延びる第２の流体流路を形成する第２の壁と、
を有し、
前記主流体入口は、前記ハンドル内にある、
ことを特徴とするヘヤケア電気器具。
【外国語明細書】
2015024137000001.pdf